(57)【要約】画像除去２次フィルタは広帯域にわたってフィルタの画像周波数に同調できる。一実施形態では、画像除去フィルタは同相および直角位相ミキサを含む。画像除去は分数伝達関数を有する。画像除去フィルタは２つの部分回路を有し、第１の部分回路は伝達関数の虚数成分を生成し、第２の部分回路は伝達関数の実数成分を生成する。第１の部分回路はＱ信号を受信し、第２の部分回路はＩ信号を受信する。一実施形態では、分数伝達関数を生成するために、多重帰還ループ積分回路が使用される。
2005536080.tif 000002
【特許請求の範囲】
【請求項１】
分数伝達関数を有する広帯域画像除去２次フィルタであって、
前記フィルタがＩおよびＱミキサの出力に接続し、
前記フィルタの伝達関数が非再帰分子および再帰分母を有し、
前記分子および前記分母が多項式であり、
前記分子が実数項のみを含み、前記分母が虚数項のみを含み、または前記分子が虚数項のみを含み、前記分母が実数項のみを含み、
前記フィルタが２つの部分回路を有し、第１の部分回路が前記フィルタの伝達関数の虚数成分を生成し、第２の部分回路が前記フィルタの伝達関数の実数成分を生成し、
前記第１の部分回路が前記ミキサからのＱ信号を受信し、前記第２の部分回路がＩ信号を受信し、
前記分子と前記分母が同じ符号を有し、したがって、前記分子がより多くのゼロを有する因数に因数分解できるフィルタ。
【請求項２】
前記フィルタは、前記分数伝達関数を生成する多重帰還ループ積分回路を含む、請求項１に記載のフィルタ。
【請求項３】
前記伝達関数は２次以上の多項式である、請求項１に記載のフィルタ。
【請求項４】
前記分子の前記多項式の係数が、前記分子が実数で因数分解できるように選択される、請求項１に記載のフィルタ。
【発明の詳細な説明】
【技術分野】
【０００１】
（関連出願の参照）
本出願は、２００２年５月２９日出願の「Ｉｍａｇｅ  Ｒｅｊｅｃｔｉｏｎ  Ｑｕａｄｒａｔｉｃ  Ｆｉｌｔｅｒ」と題された米国仮特許出願第６０／３８４２８３号（特許文献１）の利益を主張する。
（技術分野）
本発明は、フィルタの分野に関し、より詳細には、画像除去ノッチ・フィルタに関する。
【背景技術】
【０００２】
通常、受信機は、入力信号と内部的に生成される基準信号の両方を調整するフィルタを使用する。例えば、帯域通過フィルタ、ノッチ・フィルタ、低域フィルタは受信機で使用されるフィルタのタイプである。フィルタの周波数応答とは、フィルタに入力される信号を調整するフィルタの特性を指す。例えば、帯域通過フィルタはフィルタの中心周波数の上下の所定の周波数帯域にわたって入力信号を減衰することができる。フィルタは１つまたは複数の回路パラメータに基づいて周波数応答を示すように設計されている。
【０００３】
受信機によっては、ある範囲内の入力搬送周波数を有する入力信号を処理するように設計されているものがある（例えば、広帯域受信機）。例えば、テレビジョン受信機は５５ＭＨｚ〜８８０ＭＨｚの範囲の搬送周波数を有する入力テレビジョン信号を処理する能力を必要とする。フィルタの周波数応答を定義するために使用する１つの回路パラメータは入力信号の搬送周波数である。
【０００４】
図１は、抵抗−容量（「ＲＣ」）フィルタ出力を含む画像除去ミキサ（ｉｍａｇｅ  ｒｅｊｅｃｔｉｏｎ  ｍｉｘｅｒ）の一実施形態を示す。図１に示すように、同相（「Ｉ」）ミキサ１１０および直角位相（「Ｑ」）ミキサ１２０に信号が入力される（例えば、ＲＦ入力）。また、同相（「Ｉ」）ミキサ１１０と直角位相（「Ｑ」）ミキサ１２０には、局部発振器（「ＬＯ」）ポートで、局部発振器信号が入力される。
図１に示すように、ＩおよびＱ信号は抵抗器１４０およびコンデンサ１３０にそれぞれ入力される。ＲＣフィルタの伝達関数は次のように表現できる。
【０００５】
【数１】
2005536080.tif 000003
ここで、
Ｓ＝ｊｗＣｒ
Ｓ＝ｊ×Ｚ＝ｊ×Ｗ／Ｗ０
【０００６】
図２は、図１の従来の画像除去ミキサの周波数応答を示す。図２の周波数応答は正規化されている。−１の画像周波数は減衰され、所望の周波数範囲はフィルタの通過帯域の一部である。正規化応答の伝達関数は以下のように表現できる。
【０００７】
【数２】
2005536080.tif 000004
【０００８】
従来、画像除去ミキサは復調後にベースバンド内の単一のノッチを適用する。所望の信号が比較的広帯域の場合、画像を除去する単一のノッチは１つの画像周波数ポイントしか除去できない。言い換えれば、単一のノッチは所望の帯域を除去することができない。このために、従来の画像除去ミキサは複数の段階のダウンコンバージョンを必要とする。
【特許文献１】米国仮特許出願第６０／３８４２８３号
【特許文献２】米国特許出願［速達番号：ＥＶ  ３２１６８７２４８  ＵＳ］
【発明の開示】
【０００９】
画像除去２次フィルタ（ｉｍａｇｅ  ｒｅｊｅｃｔｉｏｎ  ｑｕａｄｒａｔｉｃ  ｆｉｌｔｅｒ）は広帯域にわたってフィルタの画像周波数に同調できる。一実施形態では、画像除去フィルタは同相および直角位相ミキサを含む。画像除去は以下の分数伝達関数を有する。画像除去フィルタの伝達関数は以下の特性を有する。
・非再帰分子および再帰分母
・分子および分母は多項式である。
・分子は実数項のみを含み、分母は虚数項のみを含む、または分子は虚数項のみを含み、分母は実数項のみを含む。
・分子と分母は同じ符号を有し、したがって、分子はより多くのゼロを有する因数に因数分解できる。
・伝達関数は２次以上の多項式である。
・分子の多項式の係数は分子が実数で因数分解できるように選択される。
【００１０】
画像除去フィルタは２つの部分回路を有し、第１の部分回路は伝達関数の虚数成分を生成し、第２の部分回路は伝達関数の実数成分を生成する。第１の部分回路はＱ信号を受信し、第２の部分回路はＩ信号を受信する。一実施形態では、分数伝達関数を生成するために、多重帰還ループ積分回路が使用される。
【発明を実施するための最良の形態】
【００１１】
２００２年５月２９日出願の「Ｉｍａｇｅ  Ｒｅｊｅｃｔｉｏｎ  Ｑｕａｄｒａｔｉｃ  Ｆｉｌｔｅｒ」と題された米国仮特許出願第６０／３８４，２８３号（特許文献１）の開示を参照により本明細書に明示的に組み込むものとする。
「画像信号」はミキサの生成物である。画像信号はＲＦ信号を局部発振器信号と混合することで生成される。例えば、基本周波数が８８０ＭＨｚのＲＦ入力信号は周波数が６６０ＭＨｚの局部発振器と混合されて２２０ＭＨｚ（ＲＦ（８８０ＭＨｚ）＝ＬＯ（６６０ＭＨｚ）＝２２０ＭＨｚ）の第１の高調波を生成する。次いで、２２０ＭＨｚに中心があるこの第１の高調波は、６６０ＭＨｚの局部発振器周波数と混合されて４４０ＭＨｚの画像信号を生成する。画像周波数は回路の適切な動作のため抑制を必要とする。
【００１２】
一実施形態では、画像信号は画像除去２次フィルタを用いて抑制される。画像除去２次フィルタはＲＦ信号の入力チャネルに基づいて同調する。一実施形態では、画像除去２次フィルタは同調して１１０ＭＨｚ〜４４０ＭＨｚの周波数範囲（すなわち、画像周波数の周波数帯域）のＲＦ信号をフィルタリングする。画像除去２次フィルタは画像周波数のＲＦ信号を減衰する。ＲＣフィルタを含め、フィルタを同調させるための一実施形態が、本明細書と共願の発明者Ｌａｎｃｅ  Ｍ．Ｗｏｎｇの「Ｍｅｔｈｏｄｓ  ａｎｄ  Ａｐｐａｒａｔｕｓ  ｆｏｒ  Ｔｕｎｉｎｇ  Ｕｓｉｎｇ  Ｓｕｃｃｅｓｓｉｖｅ  Ａｐｐｒｏｘｉｍａｔｉｏｎ」と題された米国特許出願［速達番号：ＥＶ  ３２１６８７２４８  ＵＳ］（特許文献２）に記載されている。その内容は、参照により本明細書に明示的に組み込むものとする。
【００１３】
図３は、２次画像除去ミキサの一実施形態を示す概略図である。図２に示すように、同相（「Ｉ」）ミキサ３２０および直角位相（「Ｑ」）ミキサ３１０に信号が入力される（例えば、ＲＦ入力）。また、同相（「Ｉ」）ミキサ３２０と直角位相（「Ｑ」）ミキサ３１０には、局部発振器（「ＬＯ」）ポートで、局部発振器信号が入力される。電圧制御発振器などのエミッタから生成される局部発振器信号は移相され、局部発振器信号の同相および直角位相成分が生成される。同相および直角位相ＬＯ成分はそれぞれ同相（「Ｉ」）ミキサ３２０および直角位相（「Ｑ」）ミキサ３１０に入力される。同相（「Ｉ」）ミキサ３２０および直角位相（「Ｑ」）ミキサ３１０は混合ＩおよびＱ信号を生成する。
【００１４】
この実施形態では、２次画像除去ミキサは複数の相互コンダクタンス増幅器を備える。相互コンダクタンス増幅器はトランジスタ（例えば、バイポーラ・トランジスタ）、コンデンサおよび抵抗器を含む。図３に示すように、Ｉミキサ３２０から出力されるＩ混合信号はトランジスタ３８０のベースに入力される。トランジスタ３８０のエミッタはトランジスタ３８０の抵抗器３７６に結合されている。第１の相互コンダクタンス増幅器は、また、第２のトランジスタ３９０を含む。トランジスタ３９０のエミッタは抵抗器３７２に結合され、コレクタはコンデンサ３４０に結合されている。コンデンサ３４０は「Ｃ１」のキャパシタンスを有し、コンデンサ３４０はＱミキサ３１０に結合されてその出力を受信する。
【００１５】
また、コンデンサ３４０は、Ｑミキサ３１０の出力を第２の相互コンダクタンス増幅器への入力（すなわち、トランジスタ３７０のベースへの入力）に結合する。第２の相互コンダクタンス増幅器は伝達関数の虚数成分を生成する。第２の相互コンダクタンス増幅器は、トランジスタ３７０および３６５と、抵抗器３６８および３７４とを含む。Ｉミキサ３２０の出力はインバータ３３０内で反転され、その後コンデンサ３５０に入力される。コンデンサ３５０は「Ｃ２」に設定された値を有する。トランジスタ３６０は、ベースで、コンデンサ３５０の出力を受信する。図３に示すように、回路３００は電流源でバイアスされている。画像除去ミキサ３００の出力は図３の「Ａ」で示される。
図３の２次画像除去フィルタ３００は以下の伝達関数を有する。
【００１６】
【数３】
2005536080.tif 000005
ここで、
Ｓ１＝ｊｗＣ１Ｒ
Ｓ２＝ｊｗＣ２Ｒ
【００１７】
伝達関数の分子は実数であるが、伝達関数の分母は複素数である。また、以下の式が成り立つ。
【００１８】
【数４】
2005536080.tif 000006
Ｓａ＝ｊ×Ｚａ＝ｊ×Ｗ／Ｗａ
Ｓｂ＝ｊ×Ｚｂ＝ｊ×Ｗ／Ｗｂ
【００１９】
コンデンサ値Ｃ１はコンデンサ３４０（図３）に対応し、コンデンサ値Ｃ２はコンデンサ３４０に対応する。抵抗値Ｒは抵抗器３７６、３７２、３７４、および３６８の値である。
【００２０】
図４は、分割電極を有する２次画像除去フィルタの一実施形態を示す。この実施形態の正規化伝達関数は以下の通りである。
【００２１】
【数５】
2005536080.tif 000007
【００２２】
この実施形態では、コンデンサ３４０（図３）に対応するコンデンサ値Ｃ１は１．２５Ｃｏの値を有し、コンデンサ３４０に対応するコンデンサ値Ｃ２は０．２Ｃｏの値を有する。値Ｃｏは、値「Ｃ」に対応し、画像を「１」で正規化する。
【００２３】
図５は、同じ２つの電極を有する２次画像除去フィルタの別の実施形態を示す。図５に示すように、所望の周波数帯域（例えば、テレビジョン・チャネル）は「＋１」を中心とし、Ｉ、Ｑミキサから出力される画像は「−１」を中心とする。この実施形態では、この実施形態の正規化伝達関数は以下の通りである。
【００２４】
【数６】
2005536080.tif 000008
【００２５】
この実施形態では、コンデンサ値Ｃ１は２Ｃｏの値を有し、コンデンサ値Ｃ２は０．５Ｃｏの値を有する。
【００２６】
図６は、３次画像除去ミキサの一実施形態を示す概略図である。図６に示すように、同相（「Ｉ」）ミキサ６２０および直角位相（「Ｑ」）ミキサ６１０に信号が入力される。また、同相（「Ｉ」）ミキサ６２０と直角位相（「Ｑ」）ミキサ６１０には、局部発振器（「ＬＯ」）ポートで、局部発振器信号が入力される。局部発振器信号は移相され、局部発振器信号の同相および直角位相成分（例えば、ｘ１およびｘｊ）が生成される。Ｉミキサ６２０およびＱミキサ６１０は混合ＩおよびＱ信号を生成する。
【００２７】
この実施形態では、３次画像除去ミキサは、複数のカスケード接続された相互コンダクタンス増幅器を備える。図６に示すように、Ｉミキサ６２０から出力されるＩ混合信号は第１の相互コンダクタンス増幅器に入力される。特に、Ｉ混合信号はトランジスタ６５４のベースに入力され、トランジスタ６５４のエミッタは抵抗器６７０に結合されている。トランジスタ６６０のエミッタは抵抗器６８０に結合され、コレクタはコンデンサ６５２に結合されている。コンデンサ６５２のキャパシタンスは「３Ｃｏ」の値を有する。コンデンサ６５２はＱミキサ６１０に結合されてその出力を受信する。
【００２８】
また、コンデンサ６５２は、Ｑミキサ６１０の出力を第２の相互コンダクタンス増幅器への入力（すなわち、トランジスタ６５０のベースへの入力）に結合する。第２の相互コンダクタンス増幅器は伝達関数に虚数成分を提供する。第２の相互コンダクタンス増幅器は、トランジスタ６５０および６４４と、抵抗器６４６および６４８と、コンデンサ６５１とを含む。Ｉミキサ６２０の出力はインバータ６４０内で反転され、その後コンデンサ６５１に入力される。コンデンサ６５１は「Ｃｏ」に設定された値を有する。
【００２９】
３次画像除去ミキサは、また、第３の相互コンダクタンス（ｇｍ）増幅器を備える。第３の相互コンダクタンス増幅器も伝達関数に虚数成分を提供する。この実施形態では、第３の相互コンダクタンス増幅器はトランジスタ６４２および６３８と、抵抗器６３４および６３６と、コンデンサ６６５とを含む。コンデンサ６６５は「Ｃｏ／３」に設定された値を有する。Ｑミキサ６１０の出力はインバータ６３０内で反転され、その後コンデンサ６６５に入力される。トランジス６３８のエミッタは抵抗器６３４に結合され、コレクタはコンデンサ６６５に結合されている。トランジスタ６３２は、ベースで、コンデンサ６６５の出力を受信する。画像除去ミキサ６００の出力はトランジスタ６３２のエミッタに結合されている。画像除去ミキサ６００の出力はトランジスタ６３８、６４４および６６０のベースを駆動する。図６に示すように、３次画像除去応答回路６００は電流源を用いてバイアスされている。
図６の３次画像除去フィルタ６００は以下の伝達関数を有する。
【００３０】
【数７】
2005536080.tif 000009
ここで、
Ｓ＝ｊｗＣＲ
【００３１】
コンデンサ値Ｃは、コンデンサ６５２、６５１および６６５の「Ｃ」の表示（図６）に対応する。抵抗値Ｒは抵抗器６７０、６８０、６４８、６３６および６３４の値である。
【００３２】
図７は、３次画像除去フィルタの周波数応答の一実施形態を示す。図７の周波数応答グラフは正規化されている。図７に示すように、信号の所望の周波数帯域は「＋１」を中心とし、Ｉ、Ｑミキサから出力される画像は「−１」を中心とする。この実施形態では、この実施形態の正規化伝達関数は以下の通りである。
【００３３】
【数８】
2005536080.tif 000010
【００３４】
図８は、４次画像除去ミキサの一実施形態を示す概略図である。同相（「Ｉ」）ミキサ８０２および直角位相（「Ｑ」）ミキサ８０４に入力信号が入力される。局部発振器信号が移相され、同相成分（ｘ１）と直角位相成分（ｘｊ）とが生成される。それぞれの局部発振器（「ＬＯ」）ポートで、局部発振器信号（ｘ１）はＩミキサ８０２に入力され、局部発振器信号（ｘｊ）は直角位相Ｑミキサ６１０に入力される。Ｉミキサ６２０およびＱミキサ６１０は混合ＩおよびＱ信号を生成する。
【００３５】
この実施形態では、４次画像除去ミキサは一連のカスケード接続された相互コンダクタンス増幅器を備える。図８に示すように、Ｉミキサ６２０から出力されるＩ混合信号は第１の相互コンダクタンス増幅器に入力される。第１の相互コンダクタンス増幅器はトランジスタ８５２および８４３を含む。Ｉ混合信号はトランジスタ８５２のべースに入力され、トランジスタ８５２のエミッタは抵抗器８５０に結合されている。トランジスタ８４３のエミッタは抵抗器８４２に結合され、コレクタはコンデンサ８５４に結合されている。コンデンサ８５４のキャパシタンスは「４Ｃｏ」の値を有する。コンデンサ６５２はまたＱミキサ８０４に結合されてその出力を受信する。
【００３６】
また、コンデンサ８５４は、Ｑミキサ８０４の出力を第２の相互コンダクタンス増幅器への入力に結合する。第２の相互コンダクタンス増幅器は、トランジスタ８３８および８３２と、抵抗器８４０および８３６と、コンデンサ８３０とを含む。Ｉミキサ８０２の出力はインバータ８２８内で反転され、その後コンデンサ８３０に入力される。コンデンサ８３０は「１．５Ｃ０」に設定された値を有する。
４次画像除去ミキサは、また、第３の相互コンダクタンス（ｇｍ）増幅器を備える。この実施形態では、第３の相互コンダクタンス増幅器はトランジスタ８２６および８２０と、抵抗器８２４および８２２と、コンデンサ８１８とを含む。Ｑミキサ８０４の出力はインバータ８４０内で反転され、その後コンデンサ８１８に入力される。トランジス８２６のエミッタは抵抗器８２４に結合されている。トランジスタ８２０のエミッタは、抵抗器８２２に結合され、コレクタはコンデンサ８１８に結合されている。
【００３７】
この実施形態では、４次画像除去ミキサはさらに第４の相互コンダクタンス（ｇｍ）増幅器を備える。第４の相互コンダクタンス増幅器は、トランジスタ８１２および８１５と、抵抗器８１４および８１０と、コンデンサ８１７とを含む。トランジスタ８１２は、ベースで、コンデンサ８１８の出力を受信する。Ｉミキサ８０２の出力はコンデンサ８１７に入力される。トランジスタ８１２のエミッタは抵抗器８１４に結合されている。トランジスタ８１５のエミッタは抵抗器８１０に結合され、コレクタはコンデンサ８１７に結合されている。画像除去ミキサ８００の出力はトランジスタ８０８のエミッタに結合されている。画像除去ミキサ８００の出力はトランジスタ８４３、８３２、８２０および８１５のベースを駆動する。
図８の４次画像除去フィルタ８００は以下の伝達関数を有する。
【００３８】
【数９】
2005536080.tif 000011
ここで、
Ｓ＝ｊｗＣＲ
【００３９】
分子は実数項を含み、分母は虚数を含む。コンデンサ値Ｃは、コンデンサ８５４、８３０、８１８および８１７の「Ｃ」の表示（図８）に対応する。抵抗値Ｒは、抵抗器８５０、８４２、８４０、８３６、８２４、８２２、８１４および８１０の値である。図８に示すように、４次画像除去応答回路８００は電流源を用いてバイアスされている。
【００４０】
図９は、４次画像除去フィルタの周波数応答の一実施形態を示す。図９の周波数応答グラフは正規化されている。図９に示すように、信号の所望の周波数帯域は「＋１」を中心とし、Ｉ、Ｑミキサから出力される画像は「−１」を中心とする。この実施形態では、この実施形態の正規化伝達関数は以下の通りである。
【００４１】
【数１０】
2005536080.tif 000012
【００４２】
図１０は、４次画像除去ミキサの別の実施形態を示す概略図である。図１０の回路９００は、回路９００の部分回路が同調して式１／Ｓａ、１／１Ｓｂ，１／Ｓｃ、および１／Ｓｄを生成する点を除いて、図８の回路８００と同じである。
Ｓａ＝ｊｗＣａＲ
Ｓｂ＝ｊｗＣｂＲ
Ｓｃ＝ｊｗＣｃＲ
Ｓｄ＝ｊｗＣｄＲ
図１０の４次画像除去フィルタ９００は以下の伝達関数を有する。
【００４３】
【数１１】
2005536080.tif 000013
【００４４】
分子は実数項を含み、分母は虚数を含む。コンデンサ値Ｃａ、Ｃｂ，ＣｃおよびＣｄは、コンデンサ９５０、９５６、９４６および９３６の「Ｃａ」、「Ｃｂ」、「Ｃｃ」および「Ｃｄ」の表示（図１０）に対応する。抵抗値Ｒは、抵抗器９６８、９６６、９６０、９６１、９５０および９３８の値である。
【００４５】
図１１は、図１０の４次画像除去フィルタの周波数応答の一実施形態を示す。図１１の周波数応答グラフは正規化されている。図１１に示すように、信号の所望の周波数帯域は「＋１」を中心とし、Ｉ、Ｑミキサから出力される画像は「−１」を中心とする。この実施形態では、この実施形態の正規化伝達関数は以下の通りである。
【００４６】
【数１２】
2005536080.tif 000014
【００４７】
本明細書に記載したように、本発明は広帯域画像除去を達成する。これによって、ＩＦ周波数を可能な限り小さくすることができる。また、画像周波数帯域の減衰を深めることができる。
以上、本発明を特定の例示的な実施形態に関して述べたが、その精神および範囲から逸脱することなく、本発明に種々の修正および変更を加えることができることを当業者なら理解することができるだろう。
【図面の簡単な説明】
【００４８】
【図１】抵抗−容量（「ＲＣ」）フィルタ出力を含む画像除去ミキサの一実施形態を示す図である。
【図２】図１の従来技術の画像除去ミキサの周波数応答を示す図である。
【図３】２次画像除去ミキサの一実施形態を示す概略図である。
【図４】分割電極を有する２次画像除去フィルタの一実施形態を示す図である。
【図５】同じ２つの電極を有する２次画像除去フィルタの別の実施形態を示す図である。
【図６】３次画像除去ミキサの一実施形態を示す概略図である。
【図７】３次画像除去フィルタの周波数応答の一実施形態を示す図である。
【図８】４次画像除去ミキサの一実施形態を示す概略図である。
【図９】４次画像除去フィルタの周波数応答の一実施形態を示す図である。
【図１０】４次画像除去ミキサの別の実施形態を示す概略図である。
【図１１】図１０の４次画像除去フィルタの周波数応答の一実施形態を示す図である。
【符号の説明】
【００４９】
１１０  同相ミキサ
１２０  直角位相ミキサ  
１３０  コンデンサ
１４０  抵抗器
３００  画像除去ミキサ
３１０  直角位相ミキサ
３２０  同相ミキサ
３３０  インバータ
３４０、３５０  コンデンサ
３６０、３６５、３７０、３８０  トランジスタ
３６８、３７２、３７４、３７６  抵抗器
３９０  第２のトランジスタ  
【図１】
2005536080.tif 000015
【図２】
2005536080.tif 000016
【図３】
2005536080.tif 000017
【図４】
2005536080.tif 000018
【図５】
2005536080.tif 000019
【図６】
2005536080.tif 000020
【図７】
2005536080.tif 000021
【図８】
2005536080.tif 000022
【図９】
2005536080.tif 000023
【図１０】
2005536080.tif 000024
【図１１】
2005536080.tif 000025
【国際調査報告】
2005536080.tif 000026
2005536080.tif 000027
2005536080.tif 000028